(57)【要約】【課題】  本発明は、銀行券、パスポート、カード、商品タグ、ブランドプロテクション等の偽造防止、改竄防止が必要とされる貴重品に適用する画像形成体に関するものである。【解決手段】  光反射性層及び光透過性層が積層された基材に、前記光透過性層の表面に特定間隔で配列された画素によって基本画像が形成され、前記基本画像は第１の領域と第２の領域に区分けされ、前記画素は、特定の深さを有する凹状又は貫通孔で、且つ、前記画素のエッジ部は前記光透過性層の表面よりも隆起した隆起部が形成され、前記第１の領域を形成する画素と前記第２の領域を形成する画素は、形状、大きさ又は画素の角度が異なってなる画像形成体である。【選択図】  図１
2006224416.tif 000002
【特許請求の範囲】
【請求項１】
光反射性層及び光透過性層が積層された基材に、前記光透過性層の表面に特定間隔で配列された画素によって基本画像が形成され、前記基本画像は第１の領域と第２の領域に区分けされ、
前記画素は、特定の深さを有する凹状又は貫通孔で、かつ、前記画素のエッジ部は、前記光透過性層の表面よりも隆起した隆起部が形成され、
前記第１の領域を形成する画素と前記第２の領域を形成する画素は、形状、大きさ又は画素の角度が異なってなる画像形成体。
【発明の詳細な説明】
【技術分野】
【０００１】
本発明は、銀行券、パスポート、カード、商品タグ、ブランドプロテクション等の偽造防止、改竄防止が必要とされる貴重品に適用する画像形成体に関するものである。
【背景技術】
【０００２】
銀行券、パスポート、カード、商品タグ、ブランドプロテクション等の貴重品は、その性質上、偽造、変造されにくいことが要求される。この防止策として、これらの貴重品を傾けて観察することにより潜像画像を認識できるようにして真偽判別を行う技術が知られている。凹版印刷物の画線構成を利用するもの、穿孔の形状変化を利用するもの、凹凸の深さを利用するもの等が挙げられる。
【０００３】
前記凹版印刷物の画線構成を利用し、潜像画像を出現させるもの、例えば、凹版印刷された万線に潜像画像となる画線部を高い画線で構成し、その他の万線を潜像画像となる画線部より低い画線で構成している。印刷物は真上から観察した場合に潜像画像は視認できないが、傾けて観察すると潜像画像が発現するものが開示されている（特許文献１参照）。
【０００４】
前記穿孔の形状変化を利用し、潜像画像を出現させるもの、例えば、基材に、背景部を構成する微細な穿孔と、情報部を構成する穿孔を形成し、背景部の穿孔と情報部の穿孔を、穿孔の形状、寸法及び画素の角度の少なくとも一つ以上が異なるように形成し、真偽判別形成体を反射光で観察した場合に背景部と情報部は区分けして視認できないが、透過光で傾けて観察した場合に背景部と情報部は区分けして視認されてなる技術が開示されている（特許文献２参照）。
【０００５】
前記凹凸の深さを利用するもの、例えば、互いに平行に微細な溝条と微細な突条とを交互に多数本刻設したマーク形成部を有したカードにおいて、前記突条の一部分を他の部分に対して盛り上げて形成することにより当該盛り上がり部分によって所定のマークを画成したことを特徴とするカードが開示されている（特許文献３参照）。
【０００６】
【特許文献１】特公昭５６−１９２７３号公報（第１−１４頁、第１−２０図）
【特許文献２】特許第３３８５４６１号公報（第１−５頁、第１−３図）
【特許文献３】実開平０２−１２７４７８号公報（第１−８頁、第１−４図）
【発明の開示】
【発明が解決しようとする課題】
【０００７】
上記特公昭５６−１９２７３号公報又は実開平０２−１２７４７８号公報は、総じて潜像領域を形成する画線とその周辺の背景領域を形成する画線の凹凸を異ならせて形成し、基材を傾けで観察した場合に潜像領域が初めて視認されるものであるが、基材を観察する方向又は基材を傾ける角度が限定され、傾ける角度が浅い角度では潜像領域を視認することが困難であった。潜像領域を形成する画線とその周辺の背景領域を形成する画線の凹凸を異ならせて形成するため、作製する段階で手間がかかり、凹凸差の違いにより潜像画像の出現性にノウハウが必要であった。また、仮に、浅い角度で潜像領域が視認できるものを作製するには潜像領域を形成する画線とその周辺の背景領域を形成する画線の凹凸差を大きくしなければならないため、実質上、作製困難であり、例え、作製可能であったとしても、その凹凸差によって基材に対して真上から観察した場合においても潜像領域が視認されてしますおそれがあった。特許第３３８５４６１号公報は透過光で傾けて観察した場合に背景部と情報部は区分けして視認されるため、反射光では視認されることがないため、視認できる状況が限られていた。また、従来は総じて観察する方向によって異なった潜像画像を出現させることは困難であった。更に、視認される潜像領域の明暗は変化することはなかった。
【０００８】
本発明は、このような従来の問題を解決することを目的としたもので、潜像領域を形成する画素とその周辺の背景領域を形成する画素の凹凸差を形成しなくとも、基材を傾ける角度が浅い角度で潜像領域を視認可能であり、反射光で潜像画像が視認され、観察する方向によって異なった潜像画像を出現させることが可能であり、潜像画像を視認するために観察する方向が特定されることなく、基材を傾ける角度によって視認される潜像領域の明暗が変化する画像形成体を提案することを目的とする。
【課題を解決するための手段】
【０００９】
光反射性層及び光透過性層が積層された基材に、前記光透過性層の表面に特定間隔で配列された画素によって基本画像が形成され、前記基本画像は第１の領域と第２の領域に区分けされ、前記画素は、特定の深さを有する凹状又は貫通孔で、かつ、前記画素のエッジ部は前記光透過性層の表面よりも隆起した隆起部が形成され、前記第１の領域を形成する画素と前記第２の領域を形成する画素は、形状、大きさ又は画素の角度が異なってなる画像形成体である。
【発明の効果】
【００１０】
本発明の画像形成体は、可視光下で肉眼で水平方向に徐々に傾けて観察した場合に、潜像領域の明暗（つまり、潜像画像がポジ画像からネガ画像に変化、ネガ画像からポジ画像に変化）は変化し、潜像画像の出現の有無、ネガポジの変化の有無によって真偽判別が可能となる。よって、特別な真偽判別装置等を用いることなく、誰でもその場で上記効果が得られるか否かによって真偽判別することができる。
【００１１】
更に、本発明の画像形成体は複数の潜像画像を埋め込むことが可能であり、観察する方向によって異なった潜像画像を出現させることが可能である。
【００１２】
光反射性層及び光透過性層が積層された基材に光反射性層及び光透過性層が積層された基材に、背景画像を形成する画素と潜像画像を形成する画素は、形状、大きさ又は画素の角度が異なって形成するため、背景画像を形成する画素と潜像画像を形成する画素の凹凸差を付けることなく、基材を傾ける角度が浅い角度で潜像領域を視認可能である。また、溝状の点群及び／又は線群はレーザで作製可能なため、貴重品個々に異なった情報（可変情報）を形成することができる。
【００１３】
以上のことから、本発明の画像形成体は、真偽判別効果が高く、微細な形状で形成するため改ざん、複製防止効果のあり、銀行券、パスポート、カード、商品タグ、ブランドプロテクション等の偽造防止、改ざん防止が必要とされる貴重品に適用することができる。
【発明を実施するための最良の形態】
【００１４】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１５】
（第１の例）
図１に画像形成体Ａ１とそのＸ−Ｘ’断面図を示す。図１（ａ）に示すように光反射性層１ａ及び光透過性層１ｂが積層された基材１に、光透過性層の表面にＸ方向はピッチP1の間隔で及び、Ｙ方向はピッチP2の間隔で配列された画素５によって基本画像２が形成され、基本画像は背景画像（第１の領域）３と潜像画像（第２の領域）４に区分けされ、画素５は、特定の深さを有する凹状で、かつ、画素５のエッジ部は光透過性層１ｂの表面よりも隆起した隆起部６からなる。背景画像を形成する画素５ａと潜像画像を形成する画素５ｂは、形状が異なっている。背景画像を形成する画素５ａは隆起部６ａを有し、潜像画像を形成する画素５ｂは隆起部６ｂを有している。図面では画素５ａは円形状であり、画素５ｂは楕円形状である。画素の形状は限定されるものではなく、背景画像を形成する画素５ａと潜像画像を形成する画素５ｂは、形状が異なっていればよい。Ｘ方向のピッチP1の間隔と、Ｙ方向のピッチP2の間隔は同一でも異なっていても良い。図１（ｂ）の画像形成体Ａ１のＸ−Ｘ’断面図に示すように、背景画像を形成する画素５ａと潜像画像を形成する画素５ｂの深度は同一である。しかしながら本発明はこれに限定されることなく、背景画像を形成する画素５ａと潜像画像を形成する、画素５ｂの深度は異なっていてもよい。
【００１６】
図２（ａ）は、画像形成体Ａ１に対してＸ１又はＸ２方向から入射角４５°の可視光下において肉眼で垂直方向から観察した場合の図である。図２（ｂ）に示すように入射光I1は背景画像３を形成する画素５ａの表面よりも隆起した隆起部６ａ上では、一部が乱反射I2し、反射光I3が得られる。入射光I1’は潜像画像４を形成する画素５ｂ上の表面よりも隆起した隆起部６ｂでは、一部が乱反射光I2’し、反射光I3’が得られる。潜像画像４を形成する画素５ｂの隆起部６ｂは、背景画像３を形成する画素５ａの隆起部６ａより、乱反射光I2’は乱反射光I2よりも乱反射光量が多く、反射光I3’は反射光I3よりも反射光量が少ない。このようなことから潜像画像４を形成する画素５ｂの隆起部６ｂと背景画像３を形成する画素５ａの隆起部６ａでは乱反射光量に大きな差異が生じる。よって、潜像画像４上は背景領域３上よりも明度が低く視認される。また、光反射性層１ａは反射光I3’及び反射光I3を強くするために設けられ、光反射性層１ａがない基材で形成すると潜像画像が視認し難い状況になる。
【００１７】
図３は、図２（ｂ）に示すように画像形成体Ａ１に対してＸ１又はＸ２方向から入射角４５°の可視光下において肉眼で垂直方向から水平方向に徐々に傾けて観察した場合の図である。ただし、図１（ａ）に示すように入射光がＸ１のとき、観察方向はＸ２であり、入射光がＸ２のとき、観察方向はＸ１である。垂直方向から観察した場合は、背景画像３を形成する画素５ａの隆起部６ａでは、潜像画像４を形成する画素５ｂの隆起部６ｂより、反射光の光量が多くなり、潜像画像４を形成する画素５ｂの隆起部６ｂよりも明度が高く視認され、潜像画像はネガ画像として視認される。更に傾けて観察すると、背景画像３を形成する画素５ａの隆起部６ａの反射光の光量と潜像画像４を形成する画素５ｂの隆起部６ｂの反射光の光量が同一又はほぼ同一となり、背景画像３と潜像画像４が区分けして視認できない状況になり、基本画像２のみが視認される。更に水平方向に傾けて観察すると、背景画像３を形成する画素５ａの隆起部６ａでは、潜像画像４を形成する画素５ｂの隆起部６ｂより、反射光の光量が徐々が少なくなり、潜像画像４を形成する画素５ｂの隆起部６ｂよりも明度が低く視認され、潜像画像はポジ画像として視認される。このようなことから、可視光下において肉眼で垂直方向から水平方向に徐々に傾けて観察した場合に潜像画像４はポジ画像からネガ画像に連続して徐々に反転する。ただし、画像形成体Ａ１に対してＹ１又はＹ２方向から入射角４５°の可視光下において肉眼で垂直方向から水平方向に徐々に傾けて観察した場合（入射光がＹ１のとき、観察方向はＹ２であり、入射光がＹ２のとき、観察方向はＹ１である）、潜像画像４を形成する画素５ｂの隆起部６ｂは、背景画像３を形成する画素５ａの隆起部６ａより、乱反射光I2’は乱反射光I2よりも乱反射光量が少なく、反射光I3’は反射光I3よりも反射光量が多く視認されるため、ネガ画像からポジ画像に連続して徐々に反転する。
【００１８】
（第２の例）
図４に画像形成体Ａ２とそのＸ−Ｘ’断面図を示す。図４（ａ）に示すように光反射性層１ａ及び光透過性層１ｂが積層された基材１に、光透過性層の表面にＸ方向はピッチP1の間隔で及び、Ｙ方向はピッチP2の間隔で配列された画素５によって基本画像２が形成され、基本画像は背景画像（第１の領域）３と潜像画像（第２の領域）４に区分けされ、画素５は、特定の深さを有する凹状で、かつ、画素５のエッジ部は光透過性層１ｂの表面よりも隆起した隆起部６からなる。背景画像を形成する画素５ａと潜像画像を形成する画素５ｂは、大きさが異なっている。背景画像を形成する画素５ａは隆起部６ａを有し、潜像画像を形成する画素５ｂは隆起部６ｂを有している。Ｘ方向のピッチP1の間隔と、Ｙ方向のピッチP2の間隔は同一でも異なっていても良い。背景画像を形成する画素５ａと潜像画像を形成する画素５ｂは、大きさが異なっている。図面では、画素５ａ及び画素５ａは円形状であるが、画素の形状は特に限定されるものではない。また、背景画像を形成する画素５ａよりも、潜像画像を形成する画素５ｂの方が大きい径を有しているが、潜像画像を形成する画素５ｂよりも、背景画像を形成する画素５ａの方が大きい径を有していてもよい。ただし、背景画像を形成する画素５ａの径と潜像画像を形成する画素５ｂの径の関係は１／２又は２倍の範囲内であることが望ましい。Ｘ方向のピッチP1の間隔と、Ｙ方向のピッチP2の間隔は同一でも異なっていても良い。図４（ｂ）の画像形成体Ａ２のＸ−Ｘ’断面図に示すように、背景画像を形成する画素５ａと潜像画像を形成する画素５ｂの深度は同一である。しかしながら本発明はこれに限定されることなく、背景画像を形成する画素５ａと潜像画像を形成する、画素５ｂの深度は異なっていてもよい。
【００１９】
（第３の例）
図５に画像形成体Ａ３とそのＸ−Ｘ’断面図を示す。図５（ａ）に示すように光反射性層１ａ及び、光透過性層１ｂが積層された基材１に、光透過性層の表面にＸ方向はピッチP1の間隔で及びＹ方向はピッチP2の間隔で配列された画素５によって基本画像２が形成され、基本画像は背景画像（第１の領域）３と潜像画像（第２の領域）４に区分けされ、画素５は、特定の深さを有する凹状で、かつ、画素５のエッジ部は光透過性層１ｂの表面よりも隆起した隆起部６からなる。背景画像を形成する画素５ａと潜像画像を形成する画素５ｂは、配置される角度が異なっている。つまり、背景画像を形成する画素５ａと潜像画像を形成する画素５ｂは、形状が同一で、互いに配置角度が異なっている。図面では画素５ａ及び画素５ａは楕円形状である。また、背景画像を形成する画素５ａの配置される角度０度に対して、潜像画像を形成する画素５ｂは、配置される角度を９０度としているが、本発明は、これに限定されることなく、配置される角度が１８０度以外であれば良い。つまり、異方性を持っていればよい。また、Ｘ方向のピッチP1の間隔と、Ｙ方向のピッチP2の間隔は同一でも異なっていても良い。背景画像を形成する画素５ａは隆起部６ａを有し、潜像画像を形成する画素５ｂは隆起部６ｂを有している。よって、この場合の画素の形状は正方形、正六角形、正八角形、円形以外の形状で、つまり、楕円形、長方形等の縦方向の径と横方向の径で長さが異なった形状である必要がある。図５（ｂ）の画像形成体Ａ３のＸ−Ｘ’断面図に示すように、背景画像を形成する画素５ａと潜像画像を形成する画素５ｂの深度は同一である。しかしながら本発明はこれに限定されることなく、背景画像を形成する画素５ａと潜像画像を形成する、画素５ｂの深度は異なっていてもよい。
【００２０】
第２の例は、画像形成体Ａ２に対してＸ１、Ｘ２、Ｙ１又はＹ２方向から入射角４５°の可視光下において肉眼で垂直方向から水平方向に徐々に傾けて観察した場合（入射光がＸ１のとき、観察方向はＸ２であり、入射光がＸ２のとき、観察方向はＸ１であり、入射光がＹ１のとき、観察方向はＹ２であり、入射光がＹ２のとき、観察方向はＹ１である）、ポジ画像からネガ画像に連続して徐々に反転する。第３の例は、画像形成体Ａ３に対してＸ１又はＸ２方向から入射角４５°の可視光下において肉眼で垂直方向から水平方向に徐々に傾けて観察した場合（入射光がＸ１のとき、観察方向はＸ２であり、入射光がＸ２のとき、観察方向はＸ１である）、ポジ画像からネガ画像に連続して徐々に反転する。更に、第３の例は、画像形成体Ａ３に対してＹ１又はＹ２方向から入射角４５°の可視光下において肉眼で垂直方向から水平方向に徐々に傾けて観察した場合（入射光がＹ１のとき、観察方向はＹ２であり、入射光がＹ２のとき、観察方向はＹ１である）、ネガ画像からポジ画像に連続して徐々に反転する。
【００２１】
（第４の例）
図６に画像形成体Ａ４とそのＸ−Ｘ’断面図を示す。図６（ａ）に示すように光反射性層１ａ及び光透過性層１ｂが積層された基材１に、光透過性層の表面にＸ方向はピッチP1の間隔で及び、Ｙ方向はピッチP2の間隔で配列された画素５によって基本画像２が形成され、基本画像は背景画像（第１の領域）３、第１の潜像画像（第２の領域）４ａ、第２の潜像画像（第３の領域）４ｂに区分けされ、画素５は、特定の深さを有する凹状で、かつ、画素５のエッジ部は光透過性層１ｂの表面よりも隆起した隆起部６からなる。背景画像を形成する画素５ａは、第１の潜像画像４ａを形成する画素５ｂ１と第２の潜像画像４ｂを形成する画素５ｂ２と、形状が異なっており、第１の潜像画像４ａを形成する画素５ｂ１は、第２の潜像画像４ｂを形成する画素５ｂ２と、配置される角度が異なっている。つまり、第１の潜像画像４ａを形成する画素５ｂ１と、第２の潜像画像４ｂを形成する画素５ｂ２は、形状が同一で、互いに配置角度が異なっている。図６では、画素５ａは円形状であり、画素５ｂ１、画素５ｂ２は楕円形状である。画素の形状は限定されるものではない。また、第１の潜像画像４ａを形成する画素５ｂ１の配置される角度０度に対して、第２の潜像画像４ｂを形成する画素５ｂ２は、配置される角度を９０度としているが、本発明はこれに限定されることなく、配置される角度が１８０度以外であれば良い。つまり、異方性を持っていればよい。図６（ｂ）の画像形成体Ａ４のＸ−Ｘ’断面図に示すように、背景画像を形成する画素５ａ、第１の潜像画像４ａを形成する画素５ｂ１及び第２の潜像画像４ｂを形成する画素５ｂ２の深度は同一である。しかしながら本発明はこれに限定されることなく、背景画像を形成する画素５ａ、第１の潜像画像４ａを形成する画素５ｂ１及び第２の潜像画像４ｂを形成する画素５ｂ２の深度は、異なっていてもよい。
【００２２】
図７（ａ）は、画像形成体Ａ４に対してＸ１又はＸ２方向から入射角４５°の可視光下において肉眼で垂直方向から観察した場合の図である。入射光I1は背景画像３を形成する画素５ａの表面よりも隆起した隆起部６ａ上では、一部が乱反射I2し、反射光I3が得られる。入射光I1’は第１の潜像画像４ａを形成する画素５ｂ１上の表面よりも隆起した隆起部６ｂ１では、一部が乱反射光I2’し、反射光I3’が得られる。入射光I1”は第２の潜像画像４ｂを形成する画素５ｂ２上の表面よりも隆起した隆起部６ｂ１では、一部が乱反射光I2”し、反射光I3”が得られる。第１の潜像画像４ａを形成する画素５ｂ１の隆起部６ｂ１は、背景画像３を形成する画素５ａの隆起部６ａより、乱反射光I2’は乱反射光I2よりも乱反射光量が多く、反射光I3’は反射光I3よりも反射光量が少ない。よって、第１の潜像画像４ａを形成する画素５ｂ１の隆起部６ｂ１と背景画像３を形成する画素５ａの隆起部６ａでは乱反射光量に大きな差異が生じる。よって、第１の潜像画像４ａ上は背景領域３上よりも明度が低く視認される。第２の潜像画像４ｂを形成する画素５ｂ２の隆起部６ｂ２は、背景画像３を形成する画素５ａの隆起部６ａより、乱反射光I2“は乱反射光I2よりも乱反射光量が多く、反射光I3”は反射光I3よりも反射光量が少ない。よって、第２の潜像画像４ｂを形成する画素５ｂ２の隆起部６ｂ２と背景画像３を形成する画素５ａの隆起部６ａでは乱反射光量に大きな差異が生じる。よって、第２の潜像画像４ｂ上は、背景領域３上よりも明度が低く視認される。
【００２３】
図８は、図７（ｂ）に示すように画像形成体Ａ４に対してＸ１又はＸ２方向から入射角４５°の可視光下において肉眼で垂直方向から水平方向に徐々に傾けて観察した場合の図である。ただし、図６（ａ）に示すように入射光がＸ１のとき、観察方向はＸ２であり、入射光がＸ２のとき、観察方向はＸ１である。垂直方向から観察した場合は、背景画像３を形成する画素５ａの隆起部６ａでは、第１の潜像画像４ａを形成する画素５ｂ１の隆起部６ｂ１より、反射光の光量が多くなり、第１の潜像画像４ａを形成する画素５ｂ１の隆起部６ｂ１よりも明度が高く視認され、第１の潜像画像４ａはネガ画像として視認される。また、背景画像３を形成する画素５ａの隆起部６ａでは、第２の潜像画像４ｂを形成する画素５ｂ２の隆起部６ｂ２より、反射光の光量が徐々に少なくなり、第２の潜像画像４ｂを形成する画素５ｂ２の隆起部６ｂ２よりも明度が低く視認され、第２の潜像画像４ｂはポジ画像として視認される。更に傾けて観察すると、背景画像３を形成する画素５ａの隆起部６ａの反射光の光量、第１の潜像画像４ａを形成する画素５ｂ１の隆起部６ｂ１の反射光の光量、第２の潜像画像４ｂを形成する画素５ｂ２の隆起部６ｂ２の反射光の光量が同一又はほぼ同一となり、背景画像３、第１の潜像画像４ａ及び第２の潜像画像４ｂが区分けして視認できない状況になり、基本画像２のみが視認される。さらに、水平方向に傾けて観察すると、背景画像３を形成する画素５ａの隆起部６ａでは、第１の潜像画像４ａを形成する画素５ｂ１の隆起部６ｂ１より、反射光の光量が徐々に少なくなり、第１の潜像画像４ａを形成する画素５ｂ１の隆起部６ｂ１よりも明度が低く視認され、第１の潜像画像４ａはポジ画像として視認される。また、背景画像３を形成する画素５ａの隆起部６ａでは、第２の潜像画像４ｂを形成する画素５ｂ２の隆起部６ｂ２より、反射光の光量が徐々に多くなり、第２の潜像画像４ｂを形成する画素５ｂ２の隆起部６ｂ２よりも明度が高く視認され、第２の潜像画像４ｂはネガ画像として視認される。このようなことから、可視光下において肉眼で垂直方向から水平方向に徐々に傾けて観察した場合に第１の潜像画像４ａはポジ画像からネガ画像に連続して徐々に反転する。第２の潜像画像４ｂはネガ画像からポジ画像に連続して徐々に反転する。ただし、画像形成体Ａ４に対してＹ１又はＹ２方向から入射角４５°の可視光下において肉眼で垂直方向から水平方向に徐々に傾けて観察した場合（入射光がＹ１のとき、観察方向はＹ２であり、入射光がＹ２のとき、観察方向はＹ１である）、第１の潜像画像４ａを形成する画素５ｂ１の隆起部６ｂ１は、背景画像３を形成する画素５ａの隆起部６ａより、乱反射光I2’は乱反射光I2よりも乱反射光量が少なく、反射光I3’は反射光I3よりも反射光量が多く視認されるため、ネガ画像からポジ画像に連続して徐々に反転する。また、第２の潜像画像４ａを形成する画素５ｂ２の隆起部６ｂ２は、背景画像３を形成する画素５ａの隆起部６ａより、乱反射光I2’は乱反射光I2よりも乱反射光量が多く、反射光I3’は反射光I3よりも反射光量が多く視認されるため、ポジ画像からネガ画像に連続して徐々に反転する。
【００２４】
上記画像形成体Ａ１乃至Ａ４を形成する画素は特定の深さを有する凹状であるが、本発明の画像形成体を形成する画素は、光反射性層及び光透過性層が積層された基材を貫通している貫通孔でも良い。また、上記に説明したように背景画像を形成する画素、潜像画像を形成する画素は、画素の形状、画素の大きさ又は画素の角度が異なっている必要がある。
【００２５】
本発明の画像形成体の背景画像を形成する画素の深度、潜像画像を形成する画素の深度、第１の潜像画像を形成する画素の深度、第２の潜像画像を形成する画素の深度は、光反射性層及び光透過性層が積層された基材の厚さによっても異なるが、５０μｍ〜３００μｍ程度が好ましい。また、本発明の画像形成体の背景画像を形成する画素の幅、潜像画像を形成する画素の幅、第１の潜像画像を形成する画素の幅、第２の潜像画像を形成する画素の幅は、５０μｍ〜５００μｍ程度が好ましい。これらの画素はレーザ加工機で形成することが可能であり、レーザの熱によって画素のエッジ部に光透過性層の表面よりも隆起した隆起部が形成される。隆起部の高さは、基材表面から１０μｍ以上程度、高く形成されれば良い。画素の点の形状は、特に限定されることはなく、円形、多角形及び特殊な形状の溝の少なくとも一つで形成することができる。多角形又は特殊な形状の溝を用いることによって、複製されにくくなるため偽造防止効果が向上する。
【００２６】
光反射性層及び光透過性層が積層された基材の光反射性層は、アルミニウム箔、金箔、銀箔等の表面反射率の高い金属箔が使用でき、金属箔と同様の材質を光透過性基材の裏面に金属蒸着させても良い。また、ホログラムを用いることにより、偽造防止の向上を図ることができる。
【００２７】
光反射性層及び光透過性層が積層された基材の光透過性層は、透明な基材が好ましいが、光を透過できる基材であれば良く、色彩を有する半透明の基材も使用することができる。材質は、例えば、ポリエチレン、ポリプロピレン、ポリエステル、ナイロンポリウレタン、ポリ塩化ビニル、ポリ酢酸ビニル、ポリアクリル等が用いられる。
【００２８】
光反射性層及び光透過性層が積層された基材の厚さは、特に限定されるものでなく６０μｍ程度の薄い基材から、７６０μｍ程度のカード基材等でも有効である。また、基材の裏面に接着層を設けて貴重品に貼付可能となる。貴重品に貼付された画像形成体を剥離しようとすると溝状の点群、溝状の線群が破壊され、不正に再利用することができなくなる。
【００２９】
本発明の基本画像、背景画像、潜像画像は、文字、数字、記号及び絵柄の少なくとも一つであることにより、特定方向から観察した場合に容易に真偽判別することが可能である。
【実施例】
【００３０】
以下、実施例を用いて本発明を更に詳細に説明するが、本発明の内容は、これらの実施例の範囲に限定されるものではない。
【００３１】
（実施例1）
厚さ約180μmのポリエチレン基材の裏面にアルミ蒸着し、ポリエチレン基材から成る光反射性層、アルミ蒸着した光透過性層を有する基材を得た。潜像画像（文字Ｔ）は、アルミ蒸着していないポリエチレン基材の表面に楕円形状の直径約100μｍ、幅約60μｍ、深度約150μｍの凹状の画素をピッチ約200μｍで一定間隔でレーザ加工機によって画素群を形成し、レーザの熱によって画素のエッジ部は、光透過性層の表面よりも隆起した隆起部が形成された。潜像画像（文字Ｐ）の周辺領域の背景画像部は、円形状の直径約100μｍ、深度約150μｍの凹状の画素をピッチ約200μｍで一定間隔でレーザ加工機によって画素群を形成し、レーザの熱によって画素のエッジ部は、光透過性層の表面よりも隆起した隆起部が形成された。潜像画像の画素の形状は楕円形状であり、背景画像の画素の形状は円形状であり、互いに画素の形状が異なっている。潜像画像と背景画像によって基本画像を形成し、画像形成体Ｂ１を作製した。図９に示す画像形成体Ｂ１をＸ１の方向又はＸ２の方向から可視光下において肉眼で垂直方向から水平方向に徐々に傾けて観察した場合に潜像画像（文字Ｔ）はポジ画像からネガ画像に連続して徐々に反転して観察できた。図９に示す画像形成体Ｂ１をＹ１の方向又はＹ２の方向から可視光下において肉眼で垂直方向から水平方向に徐々に傾けて観察した場合に潜像画像（文字Ｔ）は、ネガ画像からポジ画像に連続して徐々に反転して観察できた。
【００３２】
（実施例2）
厚さ約180μmのポリエチレン基材の裏面にアルミ蒸着し、ポリエチレン基材から成る光反射性層、アルミ蒸着した光透過性層を有する基材を得た。潜像画像（文字Ｔ）は、アルミ蒸着していないポリエチレン基材の表面に円形状の直径約150μｍ、深度約150μｍの凹状の画素をピッチ約200μｍで一定間隔でレーザ加工機によって画素群を形成し、レーザの熱によって画素のエッジ部は、光透過性層の表面よりも隆起した隆起部が形成された。潜像画像（文字Ｔ）の周辺領域の背景画像部は、円形状の直径約100μｍ、深度約150μｍの凹状の画素を約ピッチ200μｍで一定間隔でレーザ加工機によって画素群を形成し、レーザの熱によって画素のエッジ部は、光透過性層の表面よりも隆起した隆起部が形成された。潜像画像の円形状の画素の直径は直径約150μｍであり、背景画像の円形状の画素の直径は直径約100μｍであり、互いに画素の大きさが異なっている。潜像画像と背景画像によって基本画像を形成し、画像形成体Ｂ２を作製した。図１０に示す画像形成体Ｂ２をＸ１の方向又はＸ２の方向から可視光下において肉眼で垂直方向から水平方向に徐々に傾けて観察した場合に潜像画像（文字Ｔ）は、ポジ画像からネガ画像に連続して徐々に反転して観察できた。図１０に示す画像形成体Ｂ２をＹ１の方向又はＹ２の方向から可視光下において肉眼で垂直方向から水平方向に徐々に傾けて観察した場合に潜像画像（文字Ｔ）はネガ画像からポジ画像に連続して徐々に反転して観察できた。
【００３３】
（実施例3）
厚さ約180μmのポリエチレン基材の裏面にアルミ蒸着し、ポリエチレン基材から成る光反射性層、アルミ蒸着した光透過性層を有する基材を得た。潜像画像（文字Ｔ）は、アルミ蒸着していないポリエチレン基材の表面に楕円形状の直径約100μｍ、幅約60μｍ、深度約150μｍの凹状の画素をピッチ約200μｍで一定間隔でレーザ加工機によって画素群を形成し、レーザの熱によって画素のエッジ部は、光透過性層の表面よりも隆起した隆起部が形成された。潜像画像（文字Ｔ）の周辺領域の背景画像部は、潜像画像で形成した画素と同一形状の画素を、潜像画像を形成する画素の配置される角度を０度とした場合に、４５度を回転して一定間隔でレーザ加工機によって画素群を形成し、レーザの熱によって画素のエッジ部は、光透過性層の表面よりも隆起した隆起部が形成された。潜像画像の画素の配置される角度は０度であり、背景画像の画素の配置される角度は４５度であり、互いに画素の配置される角度が異なっている。潜像画像と背景画像によって基本画像を形成し、画像形成体Ｂ３を作製した。図１１に示す画像形成体Ｂ３をＸ１の方向又はＸ２の方向から可視光下において肉眼で垂直方向から水平方向に徐々に傾けて観察した場合に潜像画像（文字Ｔ）はポジ画像からネガ画像に連続して徐々に反転して観察できた。図１１に示す画像形成体Ｂ３をＹ１の方向又はＹ２の方向から可視光下において肉眼で垂直方向から水平方向に徐々に傾けて観察した場合に潜像画像（文字Ｔ）はネガ画像からポジ画像に連続して徐々に反転して観察できた。
【００３４】
（実施例4）
厚さ約180μmのポリエチレン基材の裏面にアルミ蒸着し、ポリエチレン基材から成る光反射性層、アルミ蒸着した光透過性層を有する基材を得た。第１の潜像画像（文字Ｔ）は、アルミ蒸着していないポリエチレン基材の表面に楕円形状の直径約100μｍ、幅約60μｍ、深度約150μｍの凹状の画素を約ピッチ200μｍで一定間隔でレーザ加工機によって画素群を形成し、レーザの熱によって画素のエッジ部は、光透過性層の表面よりも隆起した隆起部が形成された。第２の潜像画像（文字Ｌ）は、第１の潜像画像で形成した画素と同一形状の画素を、潜像画像を形成する画素の配置される角度を０度とした場合に、４５度を回転して一定間隔でレーザ加工機によって画素群を形成し、レーザの熱によって画素のエッジ部は、光透過性層の表面よりも隆起した隆起部が形成された。第１の潜像画像の画素の配置される角度は０度であり、第２の潜像画像の画素の配置される角度は４５度であり、互いに画素の配置される角度が異なっている。第１の潜像画像（文字Ｔ）及び第２の潜像画像（文字Ｌ）の周辺領域の背景画像部は、円形状の直径約100μｍ、深度約150μｍの凹状の画素をピッチ約200μｍで一定間隔でレーザ加工機によって画素群を形成し、レーザの熱によって画素のエッジ部は、光透過性層の表面よりも隆起した隆起部が形成された。第１の潜像画像（文字Ｐ）及び第２の潜像画像（文字Ｌ）潜像画像の画素の形状は楕円形状であり、背景画像の画素の形状は円形状であり、互いに画素の形状が異なっている。第１の潜像画像、第２の潜像画像及び背景画像によって基本画像を形成し、画像形成体Ｂ４を作製した。図１２に示す画像形成体Ｂ４をＸ１の方向又はＸ２の方向から可視光下において肉眼で垂直方向から水平方向に徐々に傾けて観察した場合に第１の潜像画像（文字Ｔはポジ画像からネガ画像に連続して徐々に反転して観察でき、第２の潜像画像（文字Ｌはネガ画像からポジ画像に連続して徐々に反転して観察できた。図１２に示す画像形成体Ｂ４をＹ１の方向又はＹ２の方向から可視光下において肉眼で垂直方向から水平方向に徐々に傾けて観察した場合に第１の潜像画像（文字Ｔ）は、ネガ画像からポジ画像に連続して徐々に反転して観察でき、第２の潜像画像（文字Ｌ）は、ポジ画像からネガ画像に連続して徐々に反転して観察できた。
【図面の簡単な説明】
【００３５】
【図１】図１に画像形成体Ａ１とそのＸ−Ｘ’断面図を示す図である。
【図２】図２は、画像形成体Ａ１に対してＸ１又はＸ２方向から入射角４５°の可視光下において肉眼で垂直方向から観察した場合の図である。
【図３】図３は、図２（ｂ）に示すように画像形成体Ａ１に対してＸ１又はＸ２方向から入射角４５°の可視光下において肉眼で垂直方向から水平方向に徐々に傾けて観察した場合の図である。
【図４】図４に画像形成体Ａ２とそのＸ−Ｘ’断面図を示す図である。
【図５】図５に画像形成体Ａ３とそのＸ−Ｘ’断面図を示す図である。
【図６】図６に画像形成体Ａ４とそのＸ−Ｘ’断面図を示す図である。
【図７】図７は、画像形成体Ａ４に対してＸ１又はＸ２方向から入射角４５°の可視光下において肉眼で垂直方向から観察した場合の図である。
【図８】図８は、図７（ｂ）に示すように画像形成体Ａ４に対してＸ１又はＸ２方向から入射角４５°の可視光下において肉眼で垂直方向から水平方向に徐々に傾けて観察した場合の図である。
【図９】画像形成体Ｂ１を示す図である。
【図１０】画像形成体Ｂ２を示す図である。
【図１１】画像形成体Ｂ３を示す図である。
【図１２】画像形成体Ｂ４を示す図である。
【符号の説明】
【００３６】
１          基材
１ａ          光反射性層
１ｂ          光透過性層
２          基本画像
３          背景画像（第１の領域）
４          潜像画像（第２の領域）
４ａ          第１の潜像画像（第２の領域）
４ｂ          第２の潜像画像（第３の領域）
５ａ          背景画像を形成する画素５ａ
５ｂ          潜像画像を形成する画素５ｂ
５ｂ１          第１の潜像画像４ａを形成する画素
５ｂ２          第２の潜像画像４ｂを形成する画素
６、６ａ、６ｂ、６ｂ１、６ｂ２        隆起部
Ａ１、Ａ２、Ａ３、Ａ４、Ｂ１、Ｂ２、Ｂ３、Ｂ４          画像形成体
Ｆ          深度
Ｈ          厚さ
Ｉ１、Ｉ１’、Ｉ１”          入射光
Ｉ２、Ｉ２’、Ｉ２”          乱反射
Ｉ３、Ｉ３’、Ｉ３”          反射光
【図１】
2006224416.tif 000003
【図２】
2006224416.tif 000004
【図３】
2006224416.tif 000005
【図４】
2006224416.tif 000006
【図５】
2006224416.tif 000007
【図６】
2006224416.tif 000008
【図７】
2006224416.tif 000009
【図８】
2006224416.tif 000010
【図９】
2006224416.tif 000011
【図１０】
2006224416.tif 000012
【図１１】
2006224416.tif 000013
【図１２】
2006224416.tif 000014